(57)【要約】【課題】            長時間不使用が続くときにバーナの燃焼回数を減らして、無駄な燃料の消費や騒音の発生を抑えることができる貯湯式給湯機の制御装置に関する。【解決手段】        缶体１下部の内側に燃焼室３を配置し、缶体１と燃焼室３との間隙によって貯湯室４を構成し、缶体１上部の排気室２と燃焼室３を連通する煙道パイプ５を取り付け、缶体１側壁の給水管７と出湯管８との間に湯温センサ９を取り付ける。温度設定手段１０と湯温センサ９の信号に基づいてバーナ６の燃焼の開始と停止を指示するバーナ制御手段１１と、バーナ制御手段１１の燃焼停止信号でカウント開始するタイマ手段１２と、タイマ手段１２がカウントアップした信号で作動する設定温度変更手段１３を備え、設定温度変更手段１３は温度設定手段１０の設定温度ＳＴを所定温度低い設定温度ＴＬに変更し、バーナ制御手段１１が変更後の設定温度ＴＬに基づいてバーナ６の燃焼の開始を指示する。【選択図】          図１
2010032136.tif 000002
【特許請求の範囲】
【請求項１】
筒状の缶体（１）の上面板（１ａ）に隣接して排気室（２）を設け、かつ、缶体（１）下部の内側には燃焼室天板（３ａ）が上面板（１ａ）と対向すると共に筒状の燃焼室側壁（３ｂ）の下端が缶体（１）に接続する燃焼室（３）を配置し、
前記缶体（１）の上面板（１ａ）と燃焼室天板（３ａ）との間、及び、缶体（１）と燃焼室側壁（３ｂ）との間隙によって貯湯室（４）を構成し、上面板（１ａ）と燃焼室天板（３ａ）との間に複数本の煙道パイプ（５）を取り付けてバーナ（６）を接続した燃焼室（３）と排気室（２）とを連通し、かつ、缶体（１）下部側壁に給水管（７）を、缶体（１）上部側壁に出湯管（８）を開口し、給水管（７）と出湯管（８）との間の缶体（１）の側壁に湯温センサ（９）を取り付けた給湯機において、
湯温を設定する温度設定手段（１０）と湯温センサ（９）の信号に基づいてバーナ（６）の燃焼の開始と停止を指示するバーナ制御手段（１１）と、
所定時間（ｔ）を計時するタイマ手段（１２）と、
温度設定手段（１０）の設定温度（ＳＴ）を変更する設定温度変更手段（１３）とを備え、
バーナ制御手段（１１）の燃焼停止信号によってタイマ手段（１２）がカウント開始し、タイマ手段（１２）がカウントアップした信号によって設定温度変更手段（１３）が温度設定手段（１０）の設定温度（ＳＴ）から所定温度低い設定温度（ＴＬ）に変更し、
前記バーナ制御手段（１１）は変更後の設定温度（ＴＬ）に基づいてバーナ（６）の燃焼の開始を指示することを特徴とする貯湯式給湯機の制御装置。
【請求項２】
前記設定温度変更手段（１３）の設定温度（ＴＬ）を温度設定手段（１０）の設定温度（ＳＴ）に復帰させるリセット手段（１４）を設け、
該リセット手段（１４）は湯温センサ（１２）が前記設定温度（ＴＬ）を検出して、前記バーナ制御手段（１１）が燃焼の開始信号を出力したときに作動し、
前記バーナ制御手段（１１）は復帰後の設定温度（ＳＴ）に基づいてバーナ（６）の燃焼の停止を指示することを特徴とする請求項１に記載した貯湯式給湯機の制御装置。
【請求項３】
前記温度設定手段（１０）の設定温度（ＳＴ）が所定温度以下のときに作動するキャンセル手段（１５）を設け、該キャンセル手段（１５）の作動時は前記バーナ制御手段（１１）の燃焼停止信号で前記タイマ手段（１２）がカウントを行わず、温度設定手段（１０）の設定温度（ＳＴ）を維持することを特徴とする請求項１又は請求項２に記載した貯湯式給湯機の制御装置。
【請求項４】
前記タイマ手段（１２）はバーナ（６）の停止時間をカウントする長短二つの計時機能を備え、
前記設定温度変更手段（１３）は二つの設定温度（ＴＬ１）・（ＴＬ２）を備え、
前記設定温度変更手段（１３）は、前記タイマ手段（１２）が短い所定時間（ｔ１）をカウントアップした出力で設定温度（ＳＴ）から所定温度低い第１の設定温度（ＴＬ１）に変更し、
長い所定時間（ｔ２）をカウントアップした出力で前記第１の設定温度（ＴＬ１）から所定温度低い第２の設定温度（ＴＬ２）に変更することを特徴とする請求項１から請求項３のいずれかに記載した貯湯式給湯機の制御装置。
【発明の詳細な説明】
【技術分野】
【０００１】
この発明は、貯湯式給湯機の制御装置に関するものである。
【背景技術】
【０００２】
筒状の缶体の上面板に隣接して排気筒に連なる排気室を設け、かつ、缶体下部の内側には燃焼室を配置し、該燃焼室の筒状の燃焼室側壁の下端は缶体に接続している。燃焼室の燃焼室天板は缶体の上面板と対向しており、上面板と燃焼室天板との間に複数本の煙道パイプを取付けて燃焼室と排気室とを連通し、前記缶体の上面板と燃焼室天板との間、及び、缶体と燃焼室との間隙によって貯湯室を構成している。
【０００３】
貯湯室は筒状の燃焼室側壁と煙道パイプ側壁と缶体の上面板とを伝熱面積とする熱交換部分を構成し、缶体の側部の外側に取付けたバーナの先端は燃焼室に接続されており、バーナを燃焼すると燃焼炎と燃焼ガスは燃焼室に送られ、高温の燃焼ガスは煙道パイプから排気室を経て排気筒から排出され、このとき、貯湯室に貯えられた水が加熱される。
【０００４】
缶体の下部側壁に給水管を、缶体の上部側壁に出湯管を開口し、給水管と出湯管との間の缶体の側壁に湯温センサを取り付けたから、温水の要求があって出湯管に向かって温水が流れると、冷水が給水管から貯湯室に入ってバーナの熱で加熱され、高温となって出湯管に送られる。このとき、湯温センサによって出湯温度が監視されており、バーナは湯温センサの出力によって運転と停止を繰り返すことで希望する湯温を得ている。
【０００５】
即ち、缶体側壁には湯温センサを設け、給湯機の操作部には温度設定手段を設け、温度設定手段によって設定された湯温を下回ると湯温センサが検知し、バーナ制御手段が燃焼指令を出して、バーナは燃えたり消えたりの繰り返しを行ない、缶体の貯湯室に貯えた温水を一定の湯温に保つ構成となっている。
【０００６】
一般的に湯温センサは給水管と出湯管の間の缶体側壁に設け、早めに湯温変化を検知してバーナ制御手段に燃焼指令を出すことで、消火と点火を繰り返すバーナが、着火から安定燃焼に移行する間に一定時間が必要であっても、給水管から送られる冷水を素早く加熱している。
【特許文献１】特開２００３−７４９７５号  公報
【発明の開示】
【発明が解決しようとする課題】
【０００７】
貯湯式給湯機は、長時間不使用の状態が続くときは放熱によって貯湯室の湯温が低下し、湯温が設定温度を下回ればバーナ制御手段が燃焼指令を出し、バーナが燃焼して設定された湯温を保持するものである。このため、長時間不使用が続くときに給湯機を運転したままにすると、バーナの燃焼が繰り返し行われて燃料を無駄に消費してしまうことになり、また、バーナ燃焼時に発生する音や振動が大きいため、夜間に給湯機を運転したままにしてバーナの燃焼が何回も行われると騒音苦情の原因となることがあった。
【０００８】
一方、長時間お湯を使用しないときに給湯機の運転を停止しておけば、バーナの燃焼は行われず、無駄な燃料消費や騒音の問題は起こらないが、長時間不使用が続くと貯湯室の湯温が低下してしまうため、給湯機の運転を開始してから貯湯室の温水が設定温度に沸き上がるまでの時間が長くなり、すぐにお湯が使用できないため使い勝手が悪くなってしまうものであった。
【課題を解決するための手段】
【０００９】
この発明は上記の課題を解決するもので、筒状の缶体１の上面板１ａに隣接して排気室２を設け、かつ、缶体１下部の内側には燃焼室天板３ａが上面板１ａと対向すると共に筒状の燃焼室側壁３ｂの下端が缶体１に接続する燃焼室３を配置し、前記缶体１の上面板１ａと燃焼室天板３ａとの間、及び、缶体１と燃焼室側壁３ｂとの間隙によって貯湯室４を構成し、上面板１ａと燃焼室天板３ａとの間に複数本の煙道パイプ５を取り付けてバーナ６を接続した燃焼室３と排気室２とを連通し、かつ、缶体１下部側壁に給水管７を、缶体１上部側壁に出湯管８を開口し、給水管７と出湯管８との間の缶体１の側壁に湯温センサ９を取り付けた給湯機において、湯温を設定する温度設定手段１０と湯温センサ９の信号に基づいてバーナ６の燃焼の開始と停止を指示するバーナ制御手段１１と、所定時間ｔを計時するタイマ手段１２と、温度設定手段１０の設定温度ＳＴを変更する設定温度変更手段１３とを備え、バーナ制御手段１１の燃焼停止信号によってタイマ手段１２がカウント開始し、タイマ手段１２がカウントアップした信号によって設定温度変更手段１３が温度設定手段１０の設定温度ＳＴから所定温度低い設定温度ＴＬに変更し、前記バーナ制御手段１１は変更後の設定温度ＴＬに基づいてバーナ６の燃焼の開始を指示することを特徴とするものである。
【００１０】
また、前記設定温度変更手段１３の設定温度ＴＬを温度設定手段１０の設定温度ＳＴに復帰させるリセット手段１４を設け、該リセット手段１４は湯温センサ１２が前記設定温度ＴＬを検出して、前記バーナ制御手段１１が燃焼の開始信号を出力したときに作動し、前記バーナ制御手段１１は復帰後の設定温度ＳＴに基づいてバーナ６の燃焼の停止を指示することによって、長時間不使用が続くときのバーナ６の燃焼開始温度と燃焼停止温度の差が大きくなるから、バーナ６が停止している時間が長くなってバーナ６の燃焼回数を少なくできる。
【００１１】
また、前記温度設定手段１０の設定温度ＳＴが所定温度以下のときに作動するキャンセル手段１５を設け、該キャンセル手段１５の作動時は前記バーナ制御手段１１の燃焼停止信号で前記タイマ手段１２がカウントを行わず、温度設定手段１０の設定温度ＳＴを維持することによって、設定温度ＳＴが低いときは湯温が設定温度ＳＴまで低下する時間が長くなり、長時間不使用が続くときでもバーナ６の燃焼回数は少ないから、設定温度ＳＴを維持したまま使い勝手を優先させるものである。
【００１２】
また、前記タイマ手段１２はバーナ６の停止時間をカウントする長短二つの計時機能を備え、前記設定温度変更手段１３は二つの設定温度ＴＬ１・ＴＬ２を備え、前記設定温度変更手段１３は、前記タイマ手段１２が短い所定時間ｔ１をカウントアップした出力で設定温度ＳＴから所定温度低い第１の設定温度ＴＬ１に変更し、長い所定時間ｔ２をカウントアップした出力で前記第１の設定温度ＴＬ１から所定温度低い第２の設定温度ＴＬ２に変更することによって、タイマ手段１２が長い所定時間ｔ２をカウントする前にお湯が使用されたときには第１の設定温度ＴＬ１でバーナ６が燃焼を開始するので、間隔をあけてお湯が使用されるときには湯温の低下を抑えて温水の温度むらを防ぐことができ、長時間不使用が続くときには確実にバーナ６の燃焼回数を減らすことができる。
【発明の効果】
【００１３】
この発明は、バーナ制御手段１１の燃焼停止信号によってタイマ手段１２がカウント開始し、タイマ手段１２がカウントアップした信号によって設定温度変更手段１３が設定温度ＳＴを所定温度低い設定温度ＴＬに変更するものであり、長時間不使用が続いて貯湯室４の湯温が放熱によって低下するときは、湯温が設定温度ＴＬに低下するまでの時間が長くなるので、バーナ６が停止している時間が長くなってバーナ６の燃焼回数を少なく抑えることができ、燃料が節約できると共に、バーナ６の燃焼による騒音の発生を抑えることができるものとなった。
また、貯湯室４に貯えられた温水は設定温度ＴＬを維持して湯温を大きく低下させないから、バーナ６が燃焼を開始すれば貯湯室４の温水は短時間で温度設定手段１０の設定温度ＳＴまで上昇するので、長時間不使用が続いた後にお湯を使用するときでもすぐにお湯が使用できるものとなった。
【００１４】
また、長時間不使用が続いているときに湯温センサ９が設定温度ＴＬ以下を検出してバーナ制御手段１１が燃焼開始信号を出力したときは、温度設定手段１０の設定温度ＳＴに復帰させ、貯湯室４の温水を設定温度ＳＴまで沸き上げる。そして、湯温センサ９が設定温度ＳＴを検出してバーナ制御手段１１が燃焼停止指令を出し、再び不使用の状態が続いてタイマ手段１２がカウントアップしたときは設定温度変更手段１３が設定温度ＴＬに変更するので、バーナ６の燃焼停止温度と燃焼開始温度の差が大きくなり、バーナ６の燃焼が停止してから再びバーナ６が燃焼開始するまでの時間が長くなるので、バーナ６の燃焼回数を確実に少なくできるものとなった。
【００１５】
また、温度設定手段１０の設定温度ＳＴが低いときは放熱量も少なくなるから、設定温度ＳＴのまま長時間不使用が続いてもバーナ６の燃焼回数は少ないものである。このため、温度設定手段１０の設定温度ＳＴが所定温度より低いときはキャンセル手段１５が作動し、バーナ制御手段１１の燃焼停止信号でタイマ手段１２を作動せず、温度設定手段１０の設定温度ＳＴを維持する構成としたから、長時間不使用の状態からお湯の使用を開始したときはすぐに設定温度ＳＴのお湯が使用できるものとなり、使い勝手を向上できる。
【００１６】
また、タイマ手段１２には長短二つの計時機能を備え、設定温度変更手段１３は短い所定時間ｔ１がタイムアップした出力で第１の設定温度ＴＬ１に変更し、長い所定時間ｔ２がタイムアップした出力で第２の設定温度ＴＬ２に変更する構成としたから、バーナ６の燃焼が停止してから第２の設定温度ＴＬ２に変更するまでの時間を長くすることができ、タイマ手段１２が長い所定時間ｔ２をカウントする前にお湯が使用されたときは、湯温センサ９が第１の設定温度ＴＬ１を検出したときにバーナ制御手段１１が燃焼開始信号を出力するから、貯湯室４の湯温の低下を抑えて短時間で温度設定手段１０の設定温度ＳＴまで上昇させることができ、お湯を使用する間隔があいたときでも安定した湯温の温水を得ることができ、使い勝手が向上できた。
一方、お湯の使用がないまま長い所定時間ｔ２がタイムアップしたときは第２の設定温度ＴＬ２に変更するので、長時間不使用が続くときは第２の設定温度ＴＬ２に低下するまでバーナ６が燃焼しないから、確実にバーナ６の燃焼回数を少なくでき、無駄な燃料消費や騒音の発生を防ぐことができるものである。
【発明を実施するための最良の形態】
【００１７】
図に示す実施例によってこの発明を説明すると、１は筒状の缶体、１ａは缶体１の上面板、３は缶体１の下部内側に設けた燃焼室、３ａは上面板１ａと対向する燃焼室天板、３ｂは缶体１の下部内側に設けた燃焼室側壁、６は缶体１の側部の外側に取り付けたバーナであり、燃焼室３の下端は缶体１に接続されて二重構造に構成され、バーナ６の火炎を燃焼室３に吹き込んでいる。
【００１８】
４は缶体１の上面板１ａと燃焼室天板３ａとの間、及び、缶体１と燃焼室側壁３ｂとの間隙によって構成される貯湯室、５は上面板１ａと燃焼室天板３ａとの間に取り付けた複数本の煙道パイプ、２は上面板１ａの上部に隣接して設けた排気室、２ａは排気室２に接続する排気筒であり、燃焼室３に送られた燃焼ガスは煙道パイプ５内部を通って排気室２に送られ、排気筒２ａから室外に排気されると共に、貯湯室４内の水は燃焼室３の壁面と煙道パイプ５と上面板１ａの熱と熱交換して高温となる。
【００１９】
７は缶体１の下部側壁に開口した給水管、８は缶体１の上部側壁に開口した出湯管、９は給水管７と出湯管８との間で煙道パイプ５の側方の缶体１の側壁に設けた湯温センサである。
【００２０】
図１において、１０は給湯機の出湯温度を設定する温度設定手段、１６は給湯機の運転の開始・停止操作を行う運転スイッチ、１１はバーナ６に燃焼の開始と停止の指令を出すバーナ制御手段であり、温度設定手段１０で設定された設定温度ＳＴに基づいてバーナ６の燃焼開始温度と燃焼停止温度が決定する。貯湯室４の温水の温度は湯温センサ９で監視され、温度設定手段１０で設定された燃焼開始温度を検出したときは、バーナ制御手段１１が燃焼指令を出してバーナ６が燃焼を開始し、貯湯室４に貯えた温水を指定の温度に沸き上げ、湯温センサ９が温度設定手段１０で設定された燃焼停止温度を検出すると、バーナ制御手段１１が燃焼停止指令を出してバーナ６が燃焼を停止する。
【００２１】
そして、ユーザーが図示しない台所や洗面所などの蛇口を開けると、貯湯室４で加熱した温水が出湯管８から吐出され、代わって給水管７から送られる冷水が貯湯室４に供給されて湯温センサ９が湯温の低下を検出すると、再びバーナ制御手段１１が燃焼指令を出してバーナ６が燃焼し、温度設定手段１０で設定された湯温を維持できるものである。
【００２２】
このように、ユーザーが台所や洗面所などで蛇口を開いたときは、始めに設定温度ＳＴの温水が出湯管８から供給されるから、立ち上がり温度特性は良く、また、熱交換部は燃焼室側壁３ｂと煙道パイプ５側壁と缶体１の上面板１ａで構成されるので伝熱面積が大きく、貯湯室４の温水が早く上昇することができるので、極端な温度むらは少なく安定した湯温の温水が得られるものである。
【００２３】
また、お湯を使用していないときは貯湯室４に貯えられた温水は放熱によって温度が低下するので、貯湯室４内の湯温が温度設定手段１０で設定された燃焼開始温度になるとバーナ制御手段１１が燃焼指令を出してバーナ６が燃焼するものであり、バーナ６が燃焼と停止を繰り返すことで温度設定手段１０で設定された湯温を維持しているが、長時間不使用が続くときにバーナ６の燃焼回数が多くなると燃料を無駄に消費してしまうことになる。また、バーナ６が燃焼するときに大きな音と振動を発生させるため、夜間に給湯機を運転したままにしたときに、騒音苦情の原因となりやすい。
【００２４】
無駄な燃料消費や騒音の問題を防ぐためには、長時間お湯を利用しないときに給湯機の運転を停止する必要があるが、長時間運転を停止すると貯湯室４の湯温が低下してしまうため、運転を開始したときに貯湯室４の温水が設定温度ＳＴに沸きあがるまでに時間がかかり、お湯が使用可能になるまで長時間待たなければならず、使い勝手が悪くなってしまう。
【００２５】
１２はバーナ制御手段１１の燃焼停止信号を受けてカウント開始すると共に燃焼開始信号を受けてカウント停止するタイマ手段、１３は前記温度設定手段１０の設定温度ＳＴを変更する設定温度変更手段であり、湯温センサ９が温度設定手段１０で設定された燃焼停止温度を検出してバーナ制御手段１１が燃焼停止指令を出すと、バーナ６が燃焼を停止すると共にタイマ手段１２にカウントの開始を指示する。また、タイマ手段１２のカウント中に、湯温センサ９が温度設定手段１０で設定された燃焼開始温度を検出してバーナ制御手段１１が燃焼指令を出すと、バーナ６の燃焼が開始すると共にタイマ手段１２にカウントの停止を指示する。
一方、カウントを開始したタイマ手段１２が所定時間ｔをカウントすると、出力信号を設定温度変更手段１３に送り、設定温度変更手段１３はこの信号を受けて温度設定手段１０で設定された設定温度ＳＴから所定温度低い設定温度ＴＬに変更する。
【００２６】
通常はユーザーがお湯を止めた後もバーナ６は燃焼を続けており、貯湯室４の湯温が上昇して湯温センサ９が温度設定手段１０で設定された燃焼停止温度を検出するとバーナ制御手段１１が燃焼停止信号を出力し、この信号を受けてタイマ手段１２がカウント開始する。
タイマ手段１２のカウント中にユーザーが再びお湯を使用したときは、給水管７から貯湯室４に冷水が供給されて湯温が低下し、温度設定手段１０で設定された温度以下を湯温センサ９が検出するとバーナ制御手段１１が燃焼信号を出力するので、タイマ手段１２はカウントを停止するものであり、お湯を出したり止めたりを繰り返している間は温度設定手段１０の設定温度ＳＴに基づいてバーナ６の燃焼と停止が行われる。
一方、ユーザーがお湯を止めてから不使用の状態が続いてタイマ手段１２が所定時間ｔをカウントしたときは、設定温度変更手段１３が温度設定手段１０で設定された設定温度ＳＴを設定温度ＴＬに変更する。そして、そのまま不使用の状態が長時間続くと、貯湯室４に貯えられた温水の温度が放熱によって低下するが、温水の温度が低下すると放熱量も少なくなって湯温の低下が遅くなるから、貯湯室４の湯温が設定温度ＴＬまで低下するときの時間は設定温度ＳＴまで低下するときの時間に比べて格段に長くなり、バーナ６が停止した状態を長く維持できる。このため、給湯機を運転したまま長時間不使用の状態が続くときのバーナ６の燃焼回数を少なく抑えることができ、燃料の無駄な消費を抑えると共にバーナ６の燃焼による騒音の発生を抑えることができた。
【００２７】
また、長時間不使用が続くときに貯湯室４の湯温は設定温度ＴＬを維持しており、長時間不使用が続いた後にお湯が使用されたときは、はじめは設定温度ＳＴより低いお湯が吐出されるが、給水管７から送られる冷水が貯湯室４に供給されて設定温度ＴＬを湯温センサ９が検出するとバーナ制御手段１１が燃焼信号を出力するから、バーナ６が燃焼を開始すれば貯湯室４の温水は短時間で温度設定手段１０の設定温度ＳＴまで上昇するので、長時間不使用を続けた後でもすぐにお湯を使用することができ、使い勝手が向上できた。
【００２８】
１４はバーナ制御手段１１の燃焼開始信号を受けて作動するリセット手段であり、長時間不使用の状態が続いているときに、湯温センサ９が設定温度変更手段１３で変更された設定温度ＴＬ以下を検出してバーナ制御手段１１が燃焼指令を出すと、バーナ６が燃焼を開始すると共にリセット手段１４が設定温度変更手段１３の設定温度ＴＬから温度設定手段１０の設定温度ＳＴに復帰させる。
バーナ６が燃焼を開始すると貯湯室４の湯温が上昇し、温度設定手段１０で設定された燃焼停止温度を湯温センサ９が検出するとバーナ制御手段１１は燃焼停止信号を出力し、バーナ６の燃焼が停止すると共にタイマ手段１２がカウント開始し、そのまま不使用の状態が続いてタイマ手段１２がカウント終了するときは設定温度変更手段１３が設定温度ＳＴから設定温度ＴＬに変更するので、バーナ６の燃焼停止温度と燃焼開始温度の温度差が大きくなる。
貯湯室４の湯温が放熱によって低下するときは、湯温センサ９が再び設定温度ＴＬを検出するまでの時間が長くなり、バーナ６が停止している時間が長くなるから、長時間不使用の状態が続くときにバーナ６の燃焼回数を確実に減らすことができ、燃料の無駄な消費を抑えると共に騒音の発生を抑えることができた。
【００２９】
また、この発明の他の実施例において、１５は温度設定手段１０の設定温度ＳＴが所定温度よりも低く設定されたときに作動するキャンセル手段であり、キャンセル手段１５が作動しているときはバーナ制御手段１１が燃焼停止指令を出してもタイマ手段１２がカウントを開始しないようにしており、長時間不使用が続くときでも温度設定手段１０の設定温度ＳＴを保持する構成となっている。
設定温度ＳＴを設定温度変更手段１３の設定温度ＴＬ付近まで下げて使用しているときは温水からの放熱が少なくバーナ６の燃焼回数が少ないから、設定温度ＳＴのままでも燃料の消費や騒音の問題はなく、長時間不使用が続いた後にお湯を使用するときには、すぐに設定温度ＳＴのお湯を使用することができるので、使い勝手が向上できる。
【００３０】
また、この発明の他の実施例において、タイマ手段１２には短い所定時間ｔ１と長い所定時間ｔ２の長短二つの計時機能を備えており、設定温度変更手段１３は温度設定手段１０の設定温度ＳＴより所定温度低い第１の設定温度ＴＬ１と、第１の所定温度ＴＬ１より所定温度低い第２の設定温度ＴＬ２を備えている。
バーナ制御手段１１の燃焼停止指令によってタイマ手段１２がカウントを開始し、短い所定時間ｔ１のカウントを終了すると、出力信号をバーナ制御手段１１に送り、バーナ制御手段１１はこの信号を受けて温度設定手段１０の設定温度ＳＴより所定温度低い第１の設定温度ＴＬ１に変更する。
更にタイマ手段１２が長い所定時間ｔ２のカウントを終了すると、出力信号をバーナ制御手段１１に送り、バーナ制御手段１１はこの信号を受けて第１の設定温度ＴＬ１から所定温度低い第２の設定温度ＴＬ２に変更する。
【００３１】
このように高低二つの設定温度ＴＬ１・ＴＬ２を設けることによって、第２の設定温度ＴＬ２に変更する所定時間ｔ２を長く設けることができ、タイマ手段１２が長い所定時間ｔ２をカウントする前にお湯が使用されたときは、湯温センサ９が第１の設定温度ＴＬ１を検出するとバーナ制御手段１１が燃焼指令を出すので、温度設定手段１０の設定温度ＳＴとの差が少ない状態でバーナ６が燃焼を開始でき、貯湯室４の湯温を短時間で設定温度ＳＴまで上昇させることができる。
このため、少し間隔をあけてお湯を使用する場合には、バーナ６が早めに燃焼を開始するので、湯温の低下を抑えて安定した湯温の温水が得られるものとなり、使い勝手が向上できた。また、長時間不使用が続くときには、湯温センサ９が第２の設定温度ＴＬを検出するまでバーナ６が燃焼を開始しないので、確実にバーナ６の燃焼回数を確実に減らすことができ、燃料の無駄な消費を抑えると共に騒音の発生を抑えることができた。
【図面の簡単な説明】
【００３２】
【図１】この発明の実施例を示す給湯機のブロック図である。
【図２】この発明の実施例を示す給湯機の断面図である。
【図３】この発明の実施例を示す設定温度と湯温の関係を示すグラフである。
【図４】この発明の他の実施例を示す設定温度と湯温の関係を示すグラフである。
【符号の説明】
【００３３】
１    缶体
１ａ  上面板
２    排気室
３    燃焼室
３ａ  燃焼室天板
３ｂ  燃焼室側壁
４    貯湯室
５    煙道パイプ
６    バーナ
７    給湯管
８    出湯管
９    湯温センサ
１０    温度設定手段
１１    バーナ制御手段
１２    タイマ手段
１３    設定温度変更手段
１４    リセット手段
１５    キャンセル手段
ｔ    所定時間
ｔ１    第１の所定時間
ｔ２    第２の所定時間
ＴＬ    設定温度
ＴＬ１  第１の設定温度
ＴＬ２  第２の設定温度
【図１】
2010032136.tif 000003
【図２】
2010032136.tif 000004
【図３】
2010032136.tif 000005
【図４】
2010032136.tif 000006